(57)【要約】【課題】従来のようにトラップ内に封水壁等を設ける必要がなく、構造が簡単となり、コストを低減させることができ、また、排水性能も向上させることができ、更に逆止弁を簡単なものとすることのできる排水トラップを提供する。【解決手段】主流入口３ａを有するフランジ３で浴室の床に固定される排水トラップ４の内部に防臭パイプ１０が縦設され、この防臭パイプ１０の下端よりも上方に封水面Ｗが形成されるように構成してなる排水トラップ４において、封水面Ｗよりも上方側に、主流入口３ａとは別経路からの、ドア下排水や追焚き循環口水受け排水等を内部に流入させるための流入口１１を設けて構成する。【選択図】                図１
2005009250.tif 000002
【特許請求の範囲】
【請求項１】
主流入口を形成するフランジで浴室の床に固定される排水トラップの内部に防臭パイプが縦設され、該防臭パイプの下端よりも上方に封水面が形成されるように構成してなる防臭パイプ型排水トラップにおいて、前記封水面よりも上方側に、前記主流入口とは別経路からの排水の流入口を設けたことを特徴とする排水トラップ。
【請求項２】
内部に横方向に中仕切を設け、該中仕切の開口に前記防臭パイプを吊下げるとともに、前記流入口を前記中仕切より上方側に設けたことを特徴とする請求項１に記載の排水トラップ。
【請求項３】
前記防臭パイプ内に、上方の主流入口から筒状の整流板を垂設し、該整流板の外周と前記防臭パイプの内周間に、前記流入口と連通する通路を形成させたことを特徴とする請求項１または請求項２に記載の排水トラップ。
【発明の詳細な説明】
【０００１】
【発明の属する技術分野】
この発明は、排水トラップに関するものである。
【０００２】
【従来の技術】
従来、防水パンの底に設けられる排水トラップ内に、浴室ドアの下の水受けからの排水等を流入させようとすると、流出側の配管内部からの臭気を防ぐため、排水トラップ内部の封水面の流入側に当たる位置に接続する必要がある（例えば、特許文献１参照。）。
【０００３】
【特許文献１】
実開昭６１−８９０７４号公報
【０００４】
【発明が解決しようとする課題】
なお、図５（特許文献１）のような、内部に隔壁５１を有する隔壁型排水トラップ５２では、流入口５３に容易に浴室ドアからの排水管を接続することができる（図５において、５４は流出口であり、Ｗは封水面である。）。
しかし、図６に示すような、内部に防臭パイプ５６を縦設してなる防臭パイプ型排水トラップにおいては、流入口５３と流出口５４が封水面Ｗの上方で連通するため、流出口５４側からの臭気が流入口５３側へ逆流することとなるので、流入口５３にドア下からの排水管を接続することは難しくなる。そのため、図６のように、排水トラップの内部に臭気を防ぐための封水壁５５を設ける必要がある。
このように排水トラップ内部に封水壁５５を設けると、構造が複雑となり、封水壁５５が邪魔になって排水の流れが悪くなり、排水性能が低下してしまうという問題が発生する。
【０００５】
【課題を解決するための手段】
本発明は、上記従来の問題点に鑑み案出したものであって、構造が複雑となったり、排水性能の低下の問題が生ずることなく、ドア下からの排水等を良好に流入させることのできる排水トラップを提供せんことを目的とし、その第１の要旨は、主流入口を形成するフランジで浴室の床に固定される排水トラップの内部に防臭パイプが縦設され、該防臭パイプの下端よりも上方に封水面が形成されるように構成してなる防臭パイプ型排水トラップにおいて、前記封水面よりも上方側に、前記主流入口とは別経路からの排水の流入口を設けたことである。
【０００６】
また、第２の要旨は、内部に横方向に中仕切を設け、該中仕切の開口に前記防臭パイプを吊下げるとともに、前記流入口を前記中仕切より上方側に設けたことである。
また、第３の要旨は、前記防臭パイプ内に、上方の主流入口から筒状の整流板を垂設し、該整流板の外周と前記防臭パイプの内周間に、前記流入口と連通する通路を形成させたことである。
【０００７】
【発明の実施の形態】
以下、本発明の実施例を図面に基づいて説明する。
図１は、浴室の洗い場面を構成する防水パン１の、底側に設けられた排水トラップの縦断面構成図である。
図において、浴室の床を構成する防水パン１には、パッキン２を介在させてフランジ３が取り付けられており、このフランジ３内にはストレーナ等が設けられて主流入口３ａが形成され、洗い場からの排水を主流入口３ａ内を通し下方の排水トラップ４内に流入させることができる。
【０００８】
フランジ３の下端外周には、排水トラップ４の上端の嵌合部５が嵌合されて、フランジ３に排水トラップ４が連結されている。
排水トラップ４は、外周壁６の図示右側面に流出口７が形成され、下方側へ突出して椀状封水部８が形成されており、この椀状封水部８の上面は開放され、椀状封水部８内に封水が溜められて、椀状封水部８の上面が封水面Ｗとなるように構成されている。
【０００９】
また、この封水面Ｗの上方には、封水面Ｗと略平行状に外周壁６の内周から横方向に中仕切９が設けられており、この中仕切９には上下に貫通する開口９ａが形成され、開口９ａには、ネジを介して回転させることにより着脱できる防臭パイプ１０の上端が取り付けられている。
この防臭パイプ１０は、上端及び下端が開放された筒状に形成されており、防臭パイプ１０は前記椀状封水部８内へ吊下げ状に垂下されて、前記フランジ３内の主流入口３ａとほぼ同心状に配置されている。
【００１０】
本例では、外周壁６の中仕切９の上方の、図示左側面に流入口１１が開口されており、この流入口１１には、ドア下排水、または追焚き循環口水受け排水用の排水配管が接続されるものである。
即ち、浴室のドアの下に溜まった水、または、浴槽に開口された追焚き循環口から漏れる水を、この流入口１１から排水トラップ４内に流入させて、良好に流出口７から排水できるように構成されている。
【００１１】
本例では、流入口１１は、封水面Ｗよりも上方にある中仕切９より、更に上方側に設けられ、流入口１１は中仕切９により流出口７と仕切られているため、この流入口１１から流入される排水に対しては、排水トラップ４内に封水構造を必要とせず、従来のように封水面Ｗの下方側からこれらの排水が流入される場合のように、封水壁５５を排水トラップ４内に設ける必要がなく、排水トラップ４の構造が簡単となり、しかも、邪魔な封水壁５５がないために、良好な排水性能を確保することができるものとなる。
【００１２】
また、従来構造を示す図２のように、流入口５３が封水面Ｗの下にある場合には、流入口５３部分が常に水没するため、逆流を防止するには毎回排水時に作動する逆止弁５７が必要となるが、本例では流入口１１が水没することはないために、流入口１１側に取り付ける逆止弁も作動回数の限られた簡単なものとすることができる。従って、排水トラップ４の構造が簡単であり、コストを低減させて製造することができるものとなる。
【００１３】
また、封水面Ｗよりも上方に中仕切９を設け、この中仕切９の開口９ａに防臭パイプ１０を吊下げ状に設置したため、防臭パイプ１０をネジを介して回すことにより、容易に取り外すことができ、防臭パイプ１０を取り外すことで、排水トラップ４内を容易に掃除することができるものとなり、排水トラップ４内に湯垢や髪の毛等が詰まっても容易に取り除くことができ、清掃性が向上するものとなる。
【００１４】
次に、図３の縦断面構成図で示す排水トラップは、変更例を示すものであり、前記フランジ３の内周に設けたネジに対し、上端のネジ１２ａを介して、フランジ３から吊下げ状に整流板１２を垂設したものである。
この整流板１２は、上端及び下端が開口された筒状で、中仕切９から吊下げ状に垂設した防臭パイプ１０の内径よりも小径に形成されて、防臭パイプ１０内に同心状に垂設され、これにより、防臭パイプ１０の内周と整流板１２の外周間には、縦方向に狭い通路Ｒが形成され、この通路Ｒは、前記中仕切９の上方の流入口１１に連通されたものとなっている。
【００１５】
このような構造とすることにより、通路Ｒは狭いために、この通路Ｒを通って流入口１１側に逆流が生じにくくなり、逆流しにくい構造となる。
また、内径の異なる整流板１２を選択して垂設することにより、主流入口３ａ側と流入口１１側の断面積を調整することができ、排水時に発生する正圧，負圧に対する破封強度を容易に向上させることができるものとなる。
【００１６】
次に、図４の縦断面図で示す排水トラップは、更なる変更例を示すものであり、図４では、フランジ３にネジを介し着脱可能に、防臭パイプ１０が吊下げ状に椀状封水部８内に垂設されており、この防臭パイプ１０内には、椀状封水部８の底面を貫通して上方へ立ち上がる立上管１３が設けられており、立上管１３の上端は、防臭パイプ１０の上端よりも下方位置に開口されたものとなっている。
また、椀状封水部８から下方へ突出した立上管１３の下端が流入口１１となっており、この流入口１１には、ドア下排水または追焚き循環口水受けからの排水を導く排水配管１４を接続できるものである。
【００１７】
このような構造では、ドア下からの排水または追焚き循環口水受けからの排水は、排水配管１４を通り、下端の流入口１１から立上管１３内に流入されて、立上管１３の上端で溢れて、防臭パイプ１０の内側を落下し、排水トラップ４内に流入されるものであり、封水構造を必要とせず、良好にドア下からの排水等を排水トラップ４内に流入させることができ、排水トラップ内には封水壁等を設ける必要がなく、部品点数が少なくなり、排水性能も低下することがなく、コストダウン化と排水性能の向上を図ることができるものとなる。
また、立上管１３の上端は、封水面Ｗよりも相当高い位置にあるため、流入口１１に向かって逆流が生ずることもなく、逆流しにくい構造となる。
【００１８】
【発明の効果】
本発明は、主流入口を形成するフランジで浴室の床に固定される排水トラップの内部に防臭パイプが縦設され、防臭パイプの下端よりも上方に封水面が形成されるように構成してなる防臭パイプ型排水トラップにおいて、封水面よりも上方側に、主流入口とは別経路からの排水の流入口を設けたことにより、ドア下排水や追焚き循環口水受け排水等の別経路からの排水に対し、封水構造を必要としないために、従来のようにトラップ内に封水壁等を設ける必要がなく、コストを低減させて、排水性能を向上させることができるものとなり、流入口への逆流も殆どないために逆止弁も簡単なもので良く、コストダウン化を図ることができる効果を有する。
【００１９】
また、内部に横方向に中仕切を設け、中仕切の開口に防臭パイプを吊下げるとともに、流入口を中仕切より上方側に設けたことにより、流入口の下方に設けた中仕切に防臭パイプを吊下げ状に取り付けることができ、防臭パイプを取り外して、トラップ内を掃除することが容易なものとなり、清掃性が向上する効果を有する。
【００２０】
また、防臭パイプ内に、上方の主流入口から筒状の整流板を垂設し、整流板の外周と防臭パイプの内周間に、流入口と連通する通路を形成させたため、狭い通路となり、流入口側への逆流が起こり難い構造となる。
また、内径の異なる整流板を選択して、主流入口と流入口の断面積を調節することで、排水時に発生する正圧，負圧に対する破封強度等を向上させることができるものとなる。
【図面の簡単な説明】
【図１】排水トラップの縦断面構成図である。
【図２】従来の流入口に逆止弁を設けた排水トラップの縦断面構成図である。
【図３】排水トラップの変更例を示す縦断面構成図である。
【図４】更に異なる変更例を示す排水トラップの縦断面構成図である。
【図５】従来の隔壁型排水トラップの縦断面構成図である。
【図６】従来の封水壁を内部に設けた防臭パイプ型排水トラップの縦断面構成図である。
【符号の説明】
１    防水パン
２    パッキン
３    フランジ
３ａ    主流入口
４    排水トラップ
６    外周壁
７    流出口
８    椀状封水部
９    中仕切
９ａ    開口
１０    防臭パイプ
１１    流入口
１２    整流板
１２ａ    ネジ
１３    立上管
１４    排水配管
Ｒ    通路
Ｗ    封水面
【図１】
2005009250.tif 000003
【図２】
2005009250.tif 000004
【図３】
2005009250.tif 000005
【図４】
2005009250.tif 000006
【図５】
2005009250.tif 000007
【図６】
2005009250.tif 000008